(57)【要約】【課題】引出し収納の幅寸法が異なる場合でも、長さ調整をして引出し収納に仕切りバーを連結することができる連結具を提供する連結具を提供する。【解決手段】引出し収納の側部に設けられた第１側壁部（フレーム）および第２側壁部（フレーム）に引出し収納の内部を仕切る棒状の仕切りバー３を連結する第１連結具（連結具）１Ａにおいて、第１側壁部および第２側壁部に取り付けられるフレーム取付部４と、フレーム取付部４と接続されて、仕切りバー３が同軸に挿入される筒状の仕切りバー取付部５と、を有し、仕切りバー取付部５の内周面には、仕切りバー３が挿入される方向に延びて内側に突出するリブ５１１，５１１が形成されている。【選択図】図３
2018110643.tif 000002
【特許請求の範囲】
【請求項１】
引出し収納の側部に設けられたフレームに前記引出し収納の内部を仕切る棒状の仕切りバーを連結する連結具において、
前記フレームに取り付けられるフレーム取付部と、
前記フレーム取付部と接続されて、前記仕切りバーが同軸に挿入される筒状の仕切りバー取付部と、を有し、
前記仕切りバー取付部の内周面には、前記仕切りバーが挿入される方向に延びて内側に突出するリブが形成されていることを特徴とする連結具。
【請求項２】
前記仕切りバー取付部の内周面には、互いに対向する位置に一対の前記リブが形成されている請求項１に記載の連結具。
【請求項３】
前記仕切りバー取付部には、前記仕切りバーが挿し込まれる方向の奥側に内部と外部とを連通させる開口部が形成されている請求項１又は２に記載の連結具。
【請求項４】
前記フレームが前記引出し収納の底部から上側に延びる壁状に形成されていて、
前記フレーム取付部は、前記フレームの上端部に取り付けられている請求項１乃至３のいずれか一項に記載の連結具。
【発明の詳細な説明】
【技術分野】
【０００１】
本発明は、キッチンの引出し収納などの収納スペースを仕切る仕切りバーを連結する連結具に関する。
【背景技術】
【０００２】
従来、キッチン台の引出し収納などの収納スペースを仕切るために設けられる棒状の仕切りバーが知られている（例えば、特許文献１および２参照）。
このような仕切りバーは、先端部に連結具が取り付けられて、連結具が引出し収納の側部に設けられたフレームに取り付けられることでフレームに連結されるように構成されている。
【先行技術文献】
【特許文献】
【０００３】
【特許文献１】特許第４８５４０８０号公報
【特許文献２】特許第５６６４４８５号公報
【発明の概要】
【発明が解決しようとする課題】
【０００４】
仕切りバーは、引出し収納の幅寸法（フレーム間の寸法）に合わせた長さ寸法に形成されているため、引出し収納の幅寸法がわずかでも異なると、同じ仕切りバーを使用することができないという問題がある。このため、引出し収納の幅寸法が異なる場合でも、引出し収納に仕切りバーを連結することができる連結具が望まれている。
【０００５】
そこで本発明は、引出し収納の幅寸法が異なる場合でも、長さ調整をして引出し収納に仕切りバーを連結することができる連結具を提供することを目的とする。
【課題を解決するための手段】
【０００６】
上記目的を達成するため、本発明に係る連結具は、引出し収納の側部に設けられたフレームに前記引出し収納の内部を仕切る棒状の仕切りバーを連結する連結具において、前記フレームに取り付けられるフレーム取付部と、前記フレーム取付部と接続されて、前記仕切りバーが同軸に挿入される筒状の仕切りバー取付部と、を有し、前記仕切りバー取付部の内周面には、前記仕切りバーが挿入される方向に延びて内側に突出するリブが形成されていることを特徴とする。
【０００７】
本発明では、仕切りバー取付部の内周面にリブが形成されていることにより、仕切りバーは、仕切りバー取付部のリブを潰すようにして仕切りバー取付部の内部に挿入され、潰したリブの反力によって仕切りバー取付部に締め付けられることになる。これにより、仕切りバーが仕切りバー取付部の手前側（挿入された側）のみの挿入された場合と、仕切りバー取付部の奥側まで挿入された場合とで、仕切バー取付部が仕切りバーを締め付ける力を一定とすることができる。このため、仕切りバー取付部に対して仕切りバーを挿し込む深さ調整して挿し込んだ深さが浅い場合でも、仕切りバーと連結具とを接続させることができる。その結果、引出し収納の幅寸法が異なる場合でも、連結具に仕切りバーを挿し込む深さを調整することで、同じ仕切りバーを採用することができる。
【０００８】
また、本発明に係る連結具では、前記仕切りバー取付部の内周面には、互いに対向する位置に一対の前記リブが形成されていてもよい。
このような構成とすることにより、仕切りバーは対向して配置された一対のリブによって確実に締め付けられるため、仕切りバー取付部の所望の位置に取り付けられた仕切りバーが位置ずれすることを防止できる。また、仕切りバーの外周面は、一対のリブと当接する部分以外は、仕切りバー取付部の内周面によって締め付けられないことになる。このため、仕切りバーは、仕切りバー取付部に深く挿し込まれた場合でも、仕切りバー取付部に浅く挿し込まれた場合と略同じ締付力で仕切りバー取付部に締め付けられることになる。
【０００９】
また、本発明に係る連結具では、前記仕切りバー取付部には、前記仕切りバーが挿し込まれる方向の奥側に内部と外部とを連通させる開口部が形成されていてもよい。
仕切りバー取付部に開口部が形成されていることにより、仕切りバー取付部に仕切りバーが挿入された際に、開口部が変形させることによって仕切りバー取付部を仕切りバーの形状に追従させることができる。このため、仕切りバー取付部や仕切りバーに局所的に負荷がかかることによって損傷する虞がない。
【００１０】
また、本発明に係る連結具では、前記フレームが前記引出し収納の底部から上側に延びる壁状に形成されていて、前記フレーム取付部は、前記フレームの上端部に取り付けられていてもよい。
このような構成とすることにより、壁状のフレームが設けられている場合でも、引出し収納の幅寸法に合わせて仕切りバーをフレームに取り付けることができる。
【発明の効果】
【００１１】
本発明によれば、引出し収納の幅寸法が異なる場合でも、長さ調整をして引出し収納に仕切りバーを連結することができる。
【図面の簡単な説明】
【００１２】
【図１】本発明の実施形態による連結具が設けられたキッチン台の一例を示す図である。
【図２】本発明の実施形態による連結具および仕切りバーが設けられた第１引出し部の斜視図である。
【図３】本発明の実施形態による連結具を斜め上側から見た斜視図である。
【図４】本発明の実施形態による連結具を斜め下側から見た斜視図である。
【図５】本発明の実施形態による連結具を短手方向から見た図である。
【図６】本発明の実施形態による連結具を上側から見た図である。
【図７】本発明の実施形態による連結具を下側から見た下面図である。
【図８】本発明の実施形態による連結具を長手方向の他方側から見た図である。
【図９】本発明の実施形態による連結具を長手方向の一方側から見た図である。
【図１０】図６のＡ−Ａ線断面図である。
【図１１】図５のＢ−Ｂ線断面図である。
【発明を実施するための形態】
【００１３】
以下、本発明の実施形態による連結具について、図１乃至図１１に基づいて説明する。
図１に示すように、本実施形態による連結具１は、キッチン台１１のシンク１２の下側に配置された引出し収納用空部１３に引き出し可能な引出し収納２に設けられている。
キッチン台１１を使用する使用者（不図示）とキッチン台１１とを結ぶ方向を奥行き方向とし、奥行き方向のうちのキッチン台１１側に対する使用者側を手前側とし、使用者側に対するキッチン台１１側を奥側とする。また、奥行き方向に直交する水平方向を幅方向とする。キッチン台１１は、幅方向に延びる長尺に形成されている。
引出し収納用空部１３は、奥行き方向の手前側に開口している。
【００１４】
図１および図２に示すように、引出し収納２は、引出し収納用空部１３に出し入れ可能な第１引出し部２１と、第１引出し部２１の収納部２９の上側かつ裏面収納部２８の奥行方向の奥側に設けられ第１引出し部２１とは別に引出し収納用空部１３に出し入れ可能な第２引出し部２２（図１参照）と、を有している。
【００１５】
図２に示すように、第１引出し部２１は、底板部（底部）２３と、底板部２３の奥行き方向の手前側の縁部から上方に延びる前板部２４と、底板部２３の奥行き方向の奥側の縁部から上方に延びる後板部２５と、底板部２３の幅方向の一方側の縁部から上方に延びる壁状の第１側壁部（フレーム）２６と、底板部２３の幅方向の他方側の縁部から上方に延びる壁状の第２側壁部（フレーム）２７と、を有している。また、本実施形態では、第１引出し部２１には、前板部２４の裏面（奥行方向の奥側の面）に沿って裏面収納部２８が設けられている。第１引出し部２１の内部のうちの裏面収納部２８よりも奥行き方向の奥側の部分を収納部２９とする。
【００１６】
第１側壁部２６は、底板部２３の幅方向の一方側の縁部から上方に延びる板状の第１側板部２６１と、第１側板部２６１の上縁部に沿って奥行き方向に延びる第１側壁バー２６２と、を有している。本実施形態では、裏面収納部２８の幅方向の一方側に第１側板部２６１の上端部から上方に延びる第１立ち上がり部２６３が設けられている。このため、第１側壁バー２６２は、第１立ち上がり部２６３の奥行方向の奥側において第１側板部２６１の上縁部に沿って設けられている。
【００１７】
第２側壁部２７は、底板部２３の幅方向の他方側の縁部から上方に延びる板状の第２側板部２７１と、第２側板部２７１の上縁部に沿って奥行き方向に延びる第２側壁バー２７２と、を有している。本実施形態では、裏面収納部２８の幅方向の他方側に第２側板部２７１の上端部から上方に延びる第２立ち上がり部２７３が設けられている。このため、第２側壁バー２７２は、第２立ち上がり部２７３の奥行方向の奥側において第２側板部２７１の上縁部に沿って設けられている。
【００１８】
第１側板部２６１と第２側板部２７１とは幅方向に略対称に形成されている。第１立ち上がり部は、第２立ち上がり部よりも奥行き方向に短く形成されていて、第１側壁バー２６２は、第２側壁バー２７２よりも奥行き方向に長く形成されている。
第１側壁バー２６２と第２側壁バー２７２とは奥行き方向の長さ寸法以外は同じ形態に形成されている。
第１側板部２６１および第２側板部２７１には、鋼板や木板などが用いられている。第１側壁バー２６２および第２側壁バー２７２には、ステンレスやスチールなどの丸パイプなどが用いられている。
【００１９】
第１引出し部２１の収納部２９には、幅方向に延在し収納部２９を奥行き方向に仕切る仕切りバー３が設けられている。仕切りバー３は、丸棒状に形成されている。仕切りバー３は、第１側壁部２６および第２側壁部２７にそれぞれ連結具１，１を介して連結されている。
【００２０】
連結具１は、仕切りバー３の両端部それぞれに取り付けられている。仕切りバー３の両端部に取り付けられた２つの連結具１，１のうちの仕切りバー３の一方側の端部に接続された連結具１を第１連結具１Ａとし、仕切りバー３の他方側の端部に接続された連結具１を第２連結具１Ｂとする。第１連結具１Ａは、第１側壁部２６に取り付けられて、第２連結具１Ｂは第２側壁部２７に取り付けられるように設定されている。
第１連結具１Ａと第２連結具１Ｂとは、仕切りバー３への取り付けられる位置および向きと、第１側壁部２６または第２側壁部２７に取り付けられる以外は、同じ形態に形成されている。このため、第１連結具１Ａの形態について説明し、第２連結具１Ｂの形態の説明は省略する。また、第２連結具１Ｂの構成について第１連結具１Ａと同じ構成は同じ符号で示す。
【００２１】
図３乃至図９に示すように、第１連結具１Ａは、第１側壁部２６の第１側壁バー２６２（図２参照）に取り付けられるフレーム取付部４と、フレーム取付部４と接続されて、仕切りバー３が同軸に挿入される仕切りバー取付部５と、を有している。第１連結具１Ａは、仕切りバー取付部５に仕切りバー３が挿入される方向に長く形成されている。第１連結具１Ａの説明では、仕切りバー３が挿入される方向を長手方向とし、第１連結具１Ａが第１側壁バー２６２に取付けられた際に長手方向に直交する水平方向を短手方向とする。第１連結具１Ａは、樹脂などを材料として形成されている。
第１連結具１Ａは、フレーム取付部４が長手方向の一方側に配置され、仕切りバー取付部５が長手方向の他方側に配置されている。仕切りバー取付部５には、長手方向の他方側から仕切りバー３が挿入されるように構成されている。第１連結具１Ａは、長手方向がキッチン台１１の幅方向となり、短手方向がキッチン台１１（図１）の奥行方向となる向きで引出し収納２に設置されている。
【００２２】
フレーム取付部４は、短手方向に延びて短手方向に直交する断面形状が下側に開口するＣ字形状に形成され、下側に開口する溝部４１を有している。フレーム取付部４には、溝部４１に下側から第１側壁バー２６２を嵌合可能に構成されている。
本実施形態では、フレーム取付部４に、溝部４１の内部から長手方向の他方側に貫通して溝部４１の内部と仕切りバー取付部５の接続部５２の内部とを連通させる貫通孔４２が形成されている。貫通孔４２には、ゴムなどで形成された弾性部材４３が嵌め込まれている。
【００２３】
弾性部材４３は、長手方向の他方側の被係止部４３１が接続部５２に設けられた係止部５２４に係止されていて、長手方向の一方側の端面４３２が溝部４１の内面から突出した面に形成されている。弾性部材４３は、フレーム取付部４が第１側壁バー２６２に取り付けられると、長手方向の一方側の端面４３２が第１側壁バー２６２の周面と当接し、フレーム取付部４と第１側壁バー２６２との位置ずれを防止するように構成されている。
【００２４】
仕切りバー取付部５は、仕切りバー３が挿入される円筒状の円筒部５１と、円筒部５１をフレーム取付部４に接続する接続部５２と、を有している。円筒部５１の内周面における上端部と、溝部４１の内周面における上端部とは、略同じ高さに配置されている。フレーム取付部４と仕切りバー取付部５とは、短手方向の寸法が略同じ寸法となるように形成されている。
【００２５】
図１０および図１１に示すように、円筒部５１は、長手方向全体に延びるとともに後述する仕切りバー挿入部５２２まで延びて、内周面における上端部近傍および下端部近傍にそれぞれに径方向内側（円筒部５１の軸線に向かう方向）に突出するリブ５１１，５１１が長手方向全体にわたって形成されている。
本実施形態では、円筒部５１の内周面のうちのリブ５１１，５１１以外の部分は、長手方向の一方側から他方側に向かって径がわずかに大きくなるテーパ（抜きテーパ）が形成されている。リブ５１１，５１１は、先端部にテーパが形成されておらず、長手方向全体にわたって同じ高さ寸法に形成されている。
円筒部５１は、長手方向の他方側から内部に仕切りバー３が挿入可能に構成されている。
【００２６】
接続部５２は、円筒部５１と同軸に連続し下側に開口する円弧板状に形成されている。接続部５２は、長手方向の一方側にフレーム取付部４が接続され、長手方向の他方側に円筒部５１が接続されている。接続部５２には、フレーム取付部４の長手方向の他方側の端部と円筒部５１の長手方向の一方側の端部とに挟まれて下側に開口する開口部５２１が形成されている。本実施形態では、接続部５２の下端面は、円筒部５１の下端面よりも上側に配置されているとともに、フレーム取付部４の下端面と略同じ高さに配置されている。
【００２７】
接続部５２は、長手方向の他方側に配置されて円筒部５１に挿入された仕切りバー３の先端部分が長手方向の他方側から挿入可能な仕切りバー挿入部５２２と、仕切りバー挿入部５２２の長手方向の一方側に配置されて仕切りバー挿入部５２２に挿入された仕切りバー３が長手方向の一方側にさらに挿入されないように規制するストッパ５２３と、ストッパ５２３の長手方向の一方側に配置されて、フレーム取付部４の弾性部材４３の被係止部４３１を係止する係止部５２４と、を有している。
【００２８】
仕切りバー３と仕切りバー取付部５とは、仕切りバー３が円筒部５１および仕切りバー挿入部５２２のリブ５１１，５１１を径方向外側（円筒部５１の軸線から離間する方向）に押して変形させながら円筒部５１および仕切りバー挿入部５２２に挿入されるように構成されている。このため、円筒部５１および仕切りバー挿入部５２２に挿入された仕切りバー３は、リブ５１１，５１１と当接している部分が径方向外側から締め付けられ、リブ５１１，５１１と当接している部分以外は径方向外側からほとんど締め付けられないことになる。
【００２９】
次に、引出し収納２への仕切りバー３の取付方法について説明する。
まず、第１連結具１Ａの円筒部５１および仕切りバー挿入部５２２に仕切りバー３の一方の端部を挿入し、第２連結具１Ｂの円筒部５１および仕切りバー挿入部５２２に仕切りバー３の他方の端部を挿入する。このとき、引出し収納２の幅寸法（第１側壁部２６と第２側壁部２７との間隔）に合わせて円筒部５１および仕切りバー挿入部５２２へ挿入する仕切りバー３の挿入深さを調整する。なお、図１０に示すように、仕切りバー３は、仕切りバー挿入部５２２に挿入されてストッパ５２３に当接するとフレーム取付部４側への挿入が停止される。
【００３０】
円筒部５１および仕切りバー挿入部５２２は、仕切りバー３が挿入されると、仕切りバー３によって径方向に押されたリブ５１１，５１１が変形し仕切りバー３を締め付けるため、仕切りバー３が第１連結具１Ａおよび第２連結具１Ｂから抜けにくくなる。円筒部５１および仕切りバー挿入部５２２は、仕切りバー３を内周面全面ではなくリブ５１１，５１１で締め付けるため、仕切りバー３の円筒部５１および仕切りバー挿入部５２２への挿入深さに関係なく仕切りバー３が円筒部５１および仕切りバー挿入部５２２から締め付けられる締付力が略一定となる。
【００３１】
接続部５２には開口部５２１が形成されていることにより、挿入された仕切りバー３によって円筒部５１および仕切りバー挿入部５２２に局所的に負荷がかかる場合に、開口部５２１が変形することによって円筒部５１および仕切りバー挿入部５２２を仕切りバー３に追従させることができ、付加を逃がすことができる。これにより、第１連結具１Ａおよび第２連結具１Ｂや仕切りバー３に局所的に負荷がかかることを防止できる。
【００３２】
第１連結具１Ａおよび第２連結具１Ｂが仕切りバー３に取付けられたら、第１連結具１Ａを第１側壁バー２６２に取り付け、第２連結具１Ｂを第２側壁バー２７２に取り付ける。第１連結具１Ａを第１側壁バー２６２に取り付けるには、第１連結具１Ａおよび第２連結具１Ｂの仕切りバー取付部５の溝部４１に第１側壁バー２６２を挿入して嵌合させ、第２連結具１Ｂを第２側壁バー２７２に取り付けるには、第２連結具１Ｂの仕切りバー取付部の溝部４１に第２側壁バー２７２を挿入して嵌合させる。このとき、第１連結具１Ａおよび第２連結具１Ｂの接続部５２の下端面が仕切りバー取付部５の下端面と略同じ高さに配置されていることにより、接続部５２の下端面が第１側板部２６１および第２側板部２７１と干渉することが防止される。
このようにして仕切りバー３が第１連結具１Ａおよび第２連結具１Ｂを介して第１側壁バー２６２および第２側壁バー２７２に取り付けられる。
【００３３】
次に、上述した実施形態による連結具１の作用・効果について図面を用いて説明する。
上述した本実施形態による連結具１では、仕切りバー取付部５の内周面にリブ５１１，５１１が形成されていることにより、仕切りバー３は、仕切りバー取付部５のリブ５１１，５１１を潰すようにして仕切りバー取付部５の内部に挿入され、潰したリブ５１１，５１１の反力によって仕切りバー取付部５に締め付けられることになる。これにより、仕切りバー３が仕切りバー取付部５の手前側（挿入された側）のみの挿入された場合と、仕切りバー取付部５の奥側まで挿入された場合とで、仕切バー取付部が仕切りバー３を締め付ける力を一定とすることができる。このため、仕切りバー取付部５に対して仕切りバー３を挿し込む深さ調整して挿し込んだ深さが浅い場合でも、仕切りバー３と連結具１とを接続させることができる。その結果、引出し収納２の幅寸法が異なる場合でも、連結具１に仕切りバー３を挿し込む深さを調整することで、同じ仕切りバー３を採用することができる。
【００３４】
また、仕切りバー取付部５に開口部５２１が形成されていることにより、仕切りバー取付部５に仕切りバー３が挿入された際に、開口部５２１が変形させることによって仕切りバー取付部５を仕切りバー３の形状に追従させることができる。このため、仕切りバー取付部５や仕切りバー３に局所的に負荷がかかることによって損傷する虞がない。
【００３５】
以上、本発明による連結具の実施形態について説明したが、本発明は上記の実施形態に限定されるものではなく、その趣旨を逸脱しない範囲で適宜変更可能である。
例えば、上記の実施形態では、連結具１，１の仕切りバー取付部５に上下一対のリブ５１１，５１１が設けられているが、リブ５１１の数や設けられる位置は適宜設定されてよい。
また、上記の実施形態では、連結具１，１の仕切りバー取付部５に開口部５２１が形成されているが、開口部５２１が設けられていなくてもよい。
【００３６】
また、上記の実施形態では、第１連結具１Ａおよび第２連結具１Ｂが取り付けられる引出し収納２の第１側壁部（本発明のフレームに相当）２６は、第１側板部２６１と第１側壁バー２６２とで構成され、第２側壁部（本発明のフレームに相当）２７は、第２側板部２７１と第２側壁バー２７２とで構成されている。これに対し、本発明のフレームに相当する第１側壁部２６が、第１側壁バー２６２が設けられていない第１側板部２６１のみで構成され、本発明のフレームに相当する第２側壁部２７が、第２側壁バー２７２が設けられていない第２側板部２７１のみで構成され、第１側板部２６１の上端部に第１連結具１Ａが取り付けられて、第２側板部２７１の上端部に第２連結具１Ｂが取り付けられるように構成されていてもよい。
【００３７】
また、本発明のフレームに相当する第１側壁部２６が、第１側壁バー２６２のみで構成され、本発明のフレームに相当する第２側壁部２７が第２側壁バー２７２のみで構成され、第１側壁バー２６２に第１連結具１Ａが取り付けられ、第２側壁バー２７２に第２連結具１Ｂが取り付けられるように構成されていてもよい。さらに、第１側壁部２６の第１側板部２６１と第１側壁バー２６２とが高さ方向に離間して設けられ、第２側壁部２７の第２側板部２７１と第２側壁バー２７２とが高さ方向に離間して設けられていてもよい。
【符号の説明】
【００３８】
１  連結具
１Ａ  第１連結具
１Ｂ  第２連結具
２  引出し収納
３  仕切りバー
４  フレーム取付部
５  仕切りバー取付部
２６  第１側壁部（フレーム）
２７  第２側壁部（フレーム）
５１１  リブ
５２１  開口部
【図１】
2018110643.tif 000003
【図２】
2018110643.tif 000004
【図３】
2018110643.tif 000005
【図４】
2018110643.tif 000006
【図５】
2018110643.tif 000007
【図６】
2018110643.tif 000008
【図７】
2018110643.tif 000009
【図８】
2018110643.tif 000010
【図９】
2018110643.tif 000011
【図１０】
2018110643.tif 000012
【図１１】
2018110643.tif 000013